(57)【要約】【課題】エレベータ利用者すべてに均等なサービスを提供するのではなく、多少の偏りがあっても利用者の価値観に沿った個人対応のサービスを利用者に納得できる仕掛けのもとで実現することが課題である。【解決手段】関係者各人の積算ポイントを設定し、個人対応のサービスの見返りにその中から拠出ポイントの提出を求め、個人対応運転のしわ寄せが他の利用者に生じた場合や、積極的にエレベータを使用せずに階間移動に協力してくれた場合などには逆にボーナスポイント付与するなどし、エレベータ利用や、ビル内施設の利用を各人のポイント制とするよう構成した。【選択図】  図１
2005035712.tif 000002
【特許請求の範囲】
【請求項１】
複数階を昇降するエレベータ乗りかごと、このエレベータ乗りかごの運行を制御する制御装置とを備えたエレベータシステムにおいて、
前記複数階の階間を移動する利用者が拠出する拠出ポイントを設定する手段とを備え、前記制御装置は、この設定された拠出ポイントに応じて、前記利用者が前記エレベータ乗りかごを優先的に利用できるように制御することを特徴とするエレベータシステム。
【請求項２】
複数階を昇降するエレベータ乗りかごと、このエレベータ乗りかごの運行を制御する制御装置とを備えたエレベータシステムにおいて、
前記複数階の階間を移動する利用者が拠出する拠出ポイントを設定する手段とを備え、前記制御装置は、この設定された拠出ポイントに応じて、前記利用者が前記エレベータ乗りかごを優先的に利用できるように制御するとともに、前記拠出ポイントを利用者の積算ポイントから減算することを特徴とするエレベータシステム。
【請求項３】
複数階を昇降するエレベータ乗りかごと、このエレベータ乗りかごの運行を制御する制御装置とを備えたエレベータシステムにおいて、
前記複数階の階間を移動する利用者が拠出する拠出ポイントを設定する手段とを備え、前記制御装置は、この設定された拠出ポイントに応じて、前記利用者が前記エレベータ乗りかごを優先的に利用できるように制御するとともに、前記拠出ポイントを利用者の積算ポイントから減算、又は前記制御の影響を受ける他の利用者の積算ポイントにはボーナスポイントを加算することを特徴とするエレベータシステム。
【請求項４】
複数階を昇降するエレベータ乗りかごと、そのエレベータ乗りかごの運行を制御する制御装置とを備えたエレベータシステムにおいて、
利用者の設定により拠出されるポイントに応じて、前記利用者にエレベータの乗りかごを優先的に利用させる手段と、
前記使用者がエレベータを利用しない際には、その利用者の積算ポイントにボーナスポイントを加算する手段を備えたことを特徴とするエレベータシステム。
【請求項５】
請求項１，２、又は３において、
前記優先的に利用できるように制御するとは、かごの優先呼び寄せ、停止希望階までの直行運転，速度，加減速度の変更，かご内ディスプレー内容の変更，ドア閉中の再開扉阻止，扉開時間延長、又はかご呼び寄せ時刻の予約をできるよう運行制御されることであることを特徴とするエレベータシステム。
【請求項６】
請求項１，２、又は３において、
上記制御装置は、エレベータ利用者間の拠出ポイントの大小に基づいて前記エレベータ乗りかごを制御することを特徴とするエレベータシステム。
【発明の詳細な説明】
【０００１】
【発明の属する技術分野】
本発明は、エレベータに係り、特に、エレベータ利用に関して対価の授受を伴う個人対応のエレベータシステムに関する。
【０００２】
【従来の技術】
従来のエレベータでは、一般の利用者が平等の立場でかたよりのないサービスを受ける使い方のほか、一般利用者がアクセスできない特定の階と所定階との間を特権を持つ利用者が専用利用することができるＶＩＰ運転もある。さらに、特開平８−２１１１３８号公報には防犯用各階停止運転を特殊なキー操作で利用者が解除でき、目的階への直行運転を可能とするエレベータシステムの提案、特開平１０−３３００５１号公報には特殊なキー操作で目的階までの途中にある呼びを解除し、目的階への直行運転を可能とするエレベータシステムの提案、特開２００１−３４１９４８号公報にはシステムが運転可能と判断したとき、加減速度をシステム側が通常値から変更して運転をするエレベータシステムの提案、特開平８−１６２７１号公報にはエレベータ関連への適用ではないが、諸サービスに関してサービスレベルごとに課金計算をする一般的サービスシステムの提案などが、ある種の個人個人への特別サービスとして提案されている。
【０００３】
【特許文献１】
特開平８−２１１１３８号公報
【特許文献２】
特開平１０−３３００５１号公報
【特許文献３】
特開２００１−３４１９４８号公報
【特許文献４】
特開平８−１６２７１号公報
【０００４】
【発明が解決しようとする課題】
従来のＶＩＰ運転は、特定のＶＩＰ個人が通常存在する階に関係する階に対して優先サービスの実行を可能としたり、特殊なキーを用いて非特定階での優先利用を可能としているが、優先利用についての恩典に関する情報の提供や利用回数などに対する制限、優先利用によってしわ寄せを受けた他のエレベータ利用者に対するケアなど個人対応サービスの陰の部分についてきめ細かい配慮は十分とは言えない。
【０００５】
ＶＩＰ運転ではないものの、特殊なキー操作によって目的階への直行運転を可能とするシステムにおいても、やはり、優先利用についての恩典に関する情報の提供や利用回数制限、優先利用によってしわ寄せを受けた他の利用者に対するケアなど個人対応サービスの陰の部分についてきめ細かい配慮は十分でない。さらに、特殊運転の実行に際して、システム側は利用者が特権所有者か否かの判断も不十分であり、サービスのかたよりに対する歯止めは不十分である。
【０００６】
また、利用者側からの要望でなく、システム側からエレベータ利用に関して利用者にとって有益と考えられるサービスの提供（たとえば走行可能であれば加減速度を強めて、走行時間短縮をシステム側の裁量で実施）をシステム側から一方的に行う提案もあるが、エレベータ利用者が自らほとんどアクションすることなく、システム側がサービスの提供を行ってしまうので、エレベータ利用者が個人対応のサービスを受けた事への恩典授与の自覚が薄いシステムであると言える。
【０００７】
また、省エネなどに配慮して、エレベータを積極的に利用しないで階間移動をするような人に対するエレベータシステム側からのある種の恩典付与という仕掛けの提案もない。
【０００８】
さらに、エレベータ向けの技術ではないが、ある種のサービスを受ける際に、サービスレベルに応じて利用者側からシステム側に拠出するべき課金ポイントを算出するシステムの提案もあるが、課金とサービスとの間の実時間性，サービス競合時の調停，負のサービスへの対応などについても言及はない。
【０００９】
本発明の目的は、階間移動に関して、個々人が希望するサービスを可能な限り円満に授受できるエレベータシステムを提供することである。
【００１０】
【課題を解決するための手段】
本発明では、積算ポイントを有する階間移動者が階間を移動する際に、各人の要望するサービスに応じて、その対価である拠出ポイントを設定し、ポイントの授受を行う。サービスが競合する際には、拠出ポイントの有無や大小差によってシステムが調停を行い、運行サービスの順序決定などの制御を行う。サービス完了時には、積算ポイントに対して拠出ポイントの加減算を行い、利用者に情報告知を行い、積算ポイントは引き出しや重み付け初期設定などが可能な構成を提案する。
【００１１】
【発明の実施の形態】
以下、本発明の一実施例を図１に示し、構成とその概略動作を説明する。
【００１２】
図１において、主ロープ１に乗りかご２と釣り合いおもり３が接続され、主ロープ１は綱車４に釣りかけられ、さらに綱車４はモータ５によって駆動される。モータ５にはその回転に伴ってパルスを発生するパルス発生器６が取り付けられており、その出力はエレベータ制御装置７にあるインターフェース８に取り込まれ、モータ５は電力変換器９からエネルギ供給を受ける。また発生パルス情報は、乗りかご２の位置情報や移動速度情報に変換され、停止階決定装置１０，速度指令発生装置１１，速度制御装置１２に入力される。
【００１３】
さらに、インターフェース８には、パルス情報の他、後述するエレベータ利用者が携帯するＩＤ装置１３ａ〜１３ｄからの呼び受付や応答表示情報を授受する為のアンテナ１４が接続されている。また、各階ホールや乗りかごの中には表示器１５ｎ＋２〜１５ｋ，呼びボタン１６ｎ＋２から１６ｎ−１が設置されており、ネットワーク１７を介して、やはりインターフェース８に取り込んだり、運行状況を知らせたりしている。停止階決定装置１０には、個人対応運転の要望を取り込んで運転方式を判断する運転方式決定装置１０１と、個人対応運転時には、利用者のデータベース１８からポイントを引き落としたり、我慢を強いられた利用者にお詫びのボーナスポイントを付与したりするポイント制御装置１０２があり、決定された停止階は速度指令発生装置１１に送られる。速度指令発生装置１１は，停止階情報とかご位置から、速度指令を発生し、それを速度制御装置１２に入力し、乗りかごの検出速度と比較され、両者が一致するように電力変換器９に動作指令を与える。
【００１４】
次に基本的な個人対応運転のエレベータの動きの一例をこの図１で説明する。ここでは、ビル内に階段１９でつながれた、（Ｎ−２）階から（Ｎ＋２）階までの階を考え、階間移動に関係する人がＡからＤまで４人存在すると考える。今、エレベータ乗りかご２が（Ｎ＋２）階の少し下の位置を上に向かって走行中である。利用者Ｂは特に個人対応運転を希望しない一般の利用者で下降運転の呼びを作り、利用者Ｃも特に個人対応運転を希望しない一般の利用者で上昇運転の呼びを作ってエレベータの到着を待っている。
【００１５】
利用者Ｄは（Ｎ−１）階の呼びボタン１６ｎ−１、または表示器１５ｎ−１、またはアンテナ１４に自分のＩＤ装置１３ｄをかざして（Ｎ−１）階から階段歩行する旨の入力を自己設定、または自動認識してもらい、上層階に向かってエレベータを利用せず階段で階間移動を行っている最中である。この状態で、利用者Ａは急ぎの用事の為に個人対応運転を強く希望し、その要望をＩＤ装置１３ａに一時的に設定、あるいは、役員などのＶＩＰの場合には定常的に個人対応運転設定をし、その情報をエレベータシステム側アンテナ１４に直接、あるいは表示器１５ｎ＋１や、呼びボタン１６ｎ＋１に伝え、下降運転の特権呼びを発生する。
【００１６】
エレベータシステム側は利用者Ａへの個人対応の希望を重視したサービス提供の可能性を現在のかご位置，かご速度，かご乗客，他の階の呼びなどの情報から判断し、次の運転法を探査する。ここでは、かご内の乗客がいないことを仮定すると、すぐにかごをとめ、運転方向を下降運転に反転し、個人対応サービスを希望する利用者がＡ以外にはいないことを判断材料にＡがいる（Ｎ＋１）階に向かう。
【００１７】
そして、下降運転を実施し、希望階（たとえば、（Ｎ−２）階とする）に直行する。ここで、通常の運転では、先に下降運転の希望ボタンを押していた利用者Ｂを乗せるために（Ｎ）階にかごは停止するはずだが、ここでは利用者Ｂは個人対応運転を希望していない一般利用者なので、個人対応運転を希望する利用者Ａの意向が最優先され、利用者Ｂのいる階である（Ｎ）階をかごは通過し、Ａの希望する（Ｎ−２）階に直行サービスを実行することになる。ここで、利用者ＡはＢにしわ寄せをして個人サービスを受けたことになるので、制御装置７の中にあるエレベータ利用の個人ごとのポイントが格納されている関係者データベース１８の中にＡが所有する箱の中の積算ポイントから２倍の拠出ポイントを差し引き、その旨がＡのＩＤ端末に表示されるようにする。
【００１８】
そして、Ａへのサービスを終了し、次にかごは（Ｎ−１）階に止まり、Ｃの上昇運転サービスを実行する。特にＡによるＣへのしわ寄せはないので、データベース１８中のＣの積算ポイントへのボーナスポイントの付与はない。そして、Ｃへのサービスを終了した後、やっとＢへのサービスとなる。Ｂへは相当なしわ寄せが行ってしまったので、システムからのお詫びとして、データベース１８内のＢの積算ポイントには逆拠出として２倍のボーナスポイントを付与し、その旨をＢの持つＩＤ端末に表示する。利用者Ｃの目的階がＮ階であれば、利用者Ｂへのしわ寄せは多少緩和されるので、そのときには、Ｂへのボーナスポイント付与は１倍とする。
【００１９】
なお、利用者Ａの運転で他の利用者にしわ寄せがなければ、Ａへは１倍の課金を行う。さらに、利用者Ｂが一般利用者ではなく、個別サービス希望者の場合、Ａとのわがままの競合が発生する。この場合、両者が同一レベルの拠出ポイント設定であれば、（Ｎ＋１）階からＮ階を通過せず、Ｎ階に停止し相対的に個人対応運転でなくなるため、ポイントの引き落としは阻止され、非個人運転対応となる。勿論、個人対応を強く希望する場合には、かご位置と利用者の応答が許す場合には、競り形式として、２倍以上の課金ポイントの引き落としの末に特権を獲得するように、実時間課金システムとしてもよい。
【００２０】
これらとは全く別に、階間移動者Ｄはエレベータを利用しない徒歩で階間移動をして目的階に到達するので、エレベータの省エネや運行効率向上への貢献感謝の観点から、Ｄの積算ポイントに移動階床数に応じてボーナスポイントを付与し、その旨をＤのＩＤ表示器に表示する。このとき、エレベータを用いた移動を徒歩移動と誤認識することを避ける為に、徒歩により階間移動する時間よりも短い時間で移動を完了したような申し出があった場合にはポイント付与を保留するようなこともあり得る。なお、エレベータ利用者の各人が有するデータベース中の積算ポイントは、個人対応運転のたびに課金されて減っていってしまうので、現金やカードによる積み増しが可能なポイントインターフェース２０を設置し、逆に、ボーナスポイントがたまりすぎたような場合にはビル内の他施設のサービス利用や他の課金にこのポイントを引き出して、利用することも可能なインターフェースである。
【００２１】
このほか、ボーナスポイントの付与には、エレベータ位置表示ランプや蛍光灯、ドア開閉の不具合などの異常をシステム側へ報知してくれたことへのお礼ポイントの付与、満員時に乗車をあきらめた利用者へのお詫びポイント付与、個人対応運転のオプションとして予約時間への待たせ時間延長や開扉時間の延長などに対するペナルティとしての倍増課金などをエレベータ利用者ごとの個人認証に基づくポイントシステムにより、今後一般化して行くであろうエレベータの個人対応サービスの土壌を醸成できる効果が本提案にはある。
【００２２】
図２以降に停止階決定装置１０で実行される処理について示す。図２は呼び、行き先階登録の割り込み処理Ｆ１００の処理を示している。まず、処理Ｆ１１０でほかにエレベータ利用者がいるかどうかの判定処理を行い、いれば、処理Ｆ１７０で個人対応運転の調停作業を行いＦ１８０を経由して割り込み待ちに戻る。ほかに利用者がいなければ、次に処理Ｆ１２０で、今回の運転で利用者が個人対応運転を希望しているかどうかの判定を行う。希望の方法は運転のたびに各人のＩＤ端末からその都度設定してもよいし、定常的にＶＩＰ運転を設定しておいても良い。特に個人対応運転を希望していなければ、処理Ｆ１６０で通常の非個人対応運転を実施する。個人対応運転を希望していれば、処理Ｆ１３０で利用者に個人対応運転の種類を問いかける。そして、処理Ｆ１４０で単独者利用時の個人対応運転を実施し、処理Ｆ１５０で今回の個人対応運転に対する対価としての拠出ポイントを個人持ちの積算ポイントから減算するなどの処理を行って処理Ｆ１８０を経由して処理を終了する。
【００２３】
図３に単独利用時の個人対応運転処理Ｆ１４０の手順を示す。始めに、処理Ｆ１４１で短時間でのサービス完了を希望するかの判断を行い、ｙｅｓであれば、処理Ｆ１４２で短時間サービス完了処理を実施し、ｎｏであれば、処理Ｆ１４３でゆったりとした出発を望むか？の判断を行い、ｙｅｓであれば処理Ｆ１４４でゆったり運転の処理を行い、ｎｏであれば、さらに処理Ｆ１４５でかご内表示器を使った情報提供などの情報サービス提供運転を希望するかの判断を行い、ｙｅｓであれば、処理Ｆ１４６で情報満載運転を実施する。
【００２４】
図４に短時間サービス運転Ｆ１４２の手順を示す。この運転モードは、役員などが短時間での階間移動を希望する様な際に使われる個人対応運転モードと考えられる。まず、処理Ｆ１４２１で時間を指定した呼び寄せ運転処理を行う。次に、処理Ｆ１４２２で運転開始後途中階に止まらず、呼びの発生階に直行運転する処理を行う。その際、処理Ｆ１４２３でかごの扉が閉まっている途中で再び開く動作を阻止して時間短縮をはかる処理を行い、さらに処理Ｆ１４２４で扉の閉じる早さを早める処理で時間短縮をはかり、さらに、処理Ｆ１４２５で運転の速度，加速度、その変化率を強めるなどし、処理Ｆ１４２６で希望した行き先階まで直行でサービスし、最後に処理Ｆ１４２７で戸開を速やかに行うなどして、短時間でのサービス完了につとめる処理を行う。
【００２５】
図５にはゆったり運転Ｆ１４４の手順を示す。この運転モードは車椅子利用者や高齢者がエレベータを利用する際に扉との接触などの不良なトラブルをさけるために、ゆったりとした乗車を希望する際に用いられる運転モードである。処理Ｆ１４４１でかご扉の開閉開始時間を通常タイミングよりも遅らせ、かつ開閉速度自体を遅めに変更し、処理Ｆ１４４２でかごの速度や加速度も低減させてゆったりとした運転を行う。
【００２６】
図６には処理Ｆ１４６の情報満載運転の手順を示す。処理Ｆ１４６１で、利用者が個人対応運転であらかじめ登録しておいた表示種類への内容の切り替え処理を行う。ここで示した処理のように事前登録制ではなく、乗車時に実時間で表示希望内容への選択切り替えを行うようにしても良い。
【００２７】
図７に各人の積算ポイントの算出、表示処理Ｆ１５０の手順を示す。ここでは処理Ｆ１５０１でエレベータ利用者個々人に対して用意した積算ポイントから今回の個人対応運転のわがまま度に見合う拠出ポイント分を積算ポイントから減算し、新たな積算ポイントを算出し、その結果を処理Ｆ１５０２で利用者のＩＤ端末に確認の意味で表示する処理を行う。
【００２８】
このようにエレベータの動かし方を利用者全員に均一にするのではなく、個々人が希望するエレベータのわがままな運転法を実現可能な範囲で、対価を投じればできるようにすることはビル内の移動手段をより充実した、新しい利用形態へと道を拓く効果がある。
【００２９】
図２の処理Ｆ１１０で他の利用者がいないときにはこれまで述べたように、利用者のわがままを実現する個人対応運転が可能であるが、複数の利用者が存在するときには各利用者間の利用に関する調停を行う必要が生じる。図８に個人対応運転の調停処理Ｆ１７０の手順を示す。ここでは、個人対応運転を特には希望しない一般の利用者が呼びを作って待っている状況下で、個人対応運転を希望する利用者が呼びを作ったときを想定しての処理を示す。この場面は、一般の利用者を個人対応運転の利用者と考え、後から呼びを作った個人対応運転を希望した人が、より一層多くの拠出ポイントを支払う上位の個人対応運転希望者との関係と置き換えても等価な状況である。ここで、運転の形態は、かご位置とその運転方向，一般利用者のいる階とその希望する運転方向，個人対応運転希望者のいる階とその希望する運転方向によって、個人対応運転希望者から徴収する拠出ポイント、一般利用者が個人対応運転によって被るしわ寄せに対するお詫びとして逆に付与されるボーナスポイントなどが変化する。まず、処理Ｆ１７００で個人対応運転の呼び発生階と一般の非個人対応運転の呼び発生階との間にエレベータかごがあるか？の判断処理を行う。ｙｅｓであれば、処理Ｆ１７０１でかごは個人対応運転の呼び階に向かって進んでいるか？の判断を行い、ｙｅｓであれば、処理Ｆ１７０２で個人対応運転階での希望運転方向とかごの運転方向が逆か？の判断を行い、ｙｅｓであれば、処理Ｆ１７０３で従来の非個人対応運転、または個人対応運転を行う。
【００３０】
ここで、非個人対応運転を行う際には、個人対応運転はされないので個人対応運転を希望した利用者の拠出ポイントは使われずに積算ポイントは変化せず、一般利用者へのしわ寄せもないので一般利用者の積算ポイントも変化しない。
【００３１】
個人対応運転を実施する際には、当然、個人対応運転をしてもらう利用者からは拠出ポイントを積算ポイントから減算し、一般利用者にはかごを一度通過させてしまうしわ寄せに対するお詫びとしてボーナスポイントを積算ポイントに付加する。処理Ｆ１７０２でｎｏの場合には、すべてのケースで従来運転と同様となり、個人対応の動きもしわ寄せも生じないのでポイントの移動は発生しない。
【００３２】
処理Ｆ１７０１でｎｏの場合には処理Ｆ１７０５で処理Ｆ１７０３のように従来の非個人対応運転、または個人対応運転を行う。ただしここでの個人対応運転では一般利用者階を通過するのではなく、手前で反転してしまうので、心理的なしわ寄せ感は大きく、お詫びのボーナスポイントは割り増しが必要である。処理Ｆ１７００でｎｏの場合、処理Ｆ１７０６で個人対応階と非個人対応階からかごが離れる方向に運転中？であるかの判断を行い、ｙｅｓであれば、（非個人対応運転の希望方向，かご運転方向）などと個人対応運転の希望方向とが逆かどうかの判断を行い、ｙｅｓであれば、処理Ｆ１７０８で従来の非個人対応運転を行い、ｎｏであれば、処理Ｆ１７０９で個人対応運転または従来運転を行う。
【００３３】
個人対応運転の場合には拠出ポイントを使用され、一般利用者の階は通過の可能性があるので、その際にはしわ寄せボーナスポイントを付与する。処理Ｆ１７０６でｎｏの場合には、処理Ｆ１７１０で個人対応運転方向とかご運転方向が同一で、かつ個人対応方向と非個人対応方向が逆の際に処理Ｆ１７１１で従来の非個人対応運転を行い、それ以外の場合には、処理Ｆ１７１２で非個人対応運転または個人対応運転を実施する。
【００３４】
このように、従来の運転順序と同一サービス順路となる位置関係の時には拠出ポイントの払い出しはなく、しわ寄せごめんのボーナスポイントの付与も事象も生じない。また、個人対応運転を希望しない一般利用者のいる階の手前でかごが反転したり、通過してしまったようなしわ寄せ事象が発生したときには一般利用者にボーナスポイントの付与、しわ寄せを発生させた個人対応運転利用者からは拠出ポイントを徴収し、複数利用者がエレベータを利用する際の調停処理をポイント授受により実施する。
【００３５】
図９に視点をかえた本発明の他の一実施例を示す。ここでは、たとえば、階間移動に階段を使い、徒歩による移動を行うことによりエレベータシステムの省エネや他の利用者にとっての運転負荷軽減に貢献してくれた人の積算ポイントに、ボーナスポイントを付与することをねらいとしている。エレベータシステムへの貢献者探査の処理Ｆ２００は一定時間ごとのタイマー割り込み、あるいは下記する交信割り込みによって、探査処理が起動される。
【００３６】
まず、処理Ｆ２０１で近くに貢献者の候補者がいるか？を判断する。判断方法は各人が所持しているＩＤ端末と各階のホールボタンやホール表示器、かご内ボタンや表示器との交信によって候補者の存在とその階床番号を認識できる。ここで、候補者としたのは、階段を利用する人なのか、エレベータを利用する人なのかの区別がこの時点では付かないためである。もし候補者がいれば、処理Ｆ２０２で候補者が出発階にいるか？の判断を行い、ｙｅｓであれば、処理Ｆ２０３で検出した候補者ごとに出発階とその出発時刻情報を記憶する。これは後に階段を利用したか否か、出発側か到着側かの判断をする材料となる情報である。
【００３７】
そして、処理Ｆ２０４で各人に仮のボーナスポイントを付与し、処理Ｆ２０９でその旨を表示する。もし、出発側でなければ、処理Ｆ２０５でその階への到着時刻を記憶し、処理Ｆ２０６で出発階から到着階への移動が徒歩かエレベータ利用での移動かの判断を行う。判断には出発時刻と到着時刻の差が階間を徒歩移動したとして妥当な時間であるかの情報を用いて判断する。徒歩移動であれば、処理Ｆ２０７で移動階数，移動方向に応じて貢献ボーナスポイントを移動者の積算ポイントに加算し、かごによる移動であれば、処理Ｆ２０８で仮に付与したボーナスポイントを返却処理し、処理Ｆ２０９でその旨を各自のＩＤ端末に表示して処理を終了する。
【００３８】
このエレベータシステムへの貢献を積算ポイントへのボーナスポイントという形で与え、次のエレベータ利用の際に個人対応運転の時の拠出ポイントで利用したり、ビル内施設の他の目的で使うというエレベータを媒体とした参加型の新しい概念を作るのに効果がある。ここでは貢献者の例として、積極的にエレベータを利用しない形のビル利用者の例を示したが、ランプ切れやドア開閉の動作異常，異音発生などの事象のみでなく、画像，音声情報を携帯電話などで保守会社へ通報するなどの貢献も取り込めるようにＩＤ端末の交信機能を充実すれば、エレベータ利用者の参加型範囲はさらに拡大する効果がある。
【００３９】
このように本実施例によれば、エレベータのサービスを利用者にとってすべて均等なものとするのではなく、個々人の希望を各自の積算ポイントからの拠出ポイントやボーナスポイントの授受の上に可能な限り個人対応の運転を実現することができる効果がある。
【００４０】
また、この積算ポイントは、ポイントインターフェースを通じてその初期値をマンション価格が高い上層階者に傾斜配分したり、ビル内での他施設利用への引き出しなどエレベータ利用をビル内で多次元結合しうる他の効果もある。
【００４１】
さらに本実施例によれば、省エネ，輸送効率向上という身近な社会貢献を日々利用するエレベータによって可視的に体感できるなどの効果もある。
【００４２】
【発明の効果】
以上述べたように、本発明によれば、エレベータ利用者の希望を可能な限り取り込んだ個人対応運転を実現できる効果がある。
【図面の簡単な説明】
【図１】本発明の一実施の形態における全体構成図である。
【図２】本発明の一実施の形態における手順書である。
【図３】本発明の一実施の形態における手順書である。
【図４】本発明の一実施の形態における手順書である。
【図５】本発明の一実施の形態における手順書である。
【図６】本発明の一実施の形態における手順書である。
【図７】本発明の一実施の形態における手順書である。
【図８】本発明の一実施の形態における手順書である。
【図９】本発明の他の一実施の形態における手順書である。
【符号の説明】
１…主ロープ、２…乗りかご、３…釣り合いおもり、４…綱車、５…モータ、６…パルス発生器、７…エレベータ制御装置、８…インターフェース、９…電力変換器、１０…停止階決定装置、１１…速度指令発生装置、１２…速度制御装置、１３ａ〜１３ｄ…関係者のＩＤ装置、１４…アンテナ、１５ｎ−１〜１５ｎ＋２，１５ｋ…表示器、１６ｎ−１〜１６ｎ＋２…呼びボタン、１７…ネットワーク、１８…関係者データベース、１９…階段、２０…ポイントインターフェース。
【図１】
2005035712.tif 000003
【図２】
2005035712.tif 000004
【図３】
2005035712.tif 000005
【図４】
2005035712.tif 000006
【図５】
2005035712.tif 000007
【図６】
2005035712.tif 000008
【図７】
2005035712.tif 000009
【図８】
2005035712.tif 000010
【図９】
2005035712.tif 000011